(57)【要約】【課題】ＣＤやＤＶＤ等の円盤状記録媒体を収納するケースであって、チャプターシートを収容した状態で収納されている円盤状記録媒体の表題を確認することが出来ると共に、表面に貼着したバーコードを蓋を開くことなく読み取ることが出来る収納ケースの提供。【解決手段】本体ケース１のベース面４には受け台座５をベース面から突出して設けると共に係合凸部６を形成し、上記受け台座５に載置されて係合凸部６に嵌って取付けられた円盤状記録媒体１０と本体ベース面４との間に形成した空間１２には受け台座５より低い押え片７，７を設け、この押え片７，７にチャプターシート８を挟み込んで収容することが出来る。【選択図】        図５
2005001716.tif 000002
【特許請求の範囲】
【請求項１】
ＣＤやＤＶＤ等の円盤状記録媒体を収納するケースにおいて、本体ケースのベース面には円盤状記録媒体が載置される受け台座をベース面から突出して設けると共に、円盤状記録媒体の中央穴に嵌る係合凸部を形成し、上記受け台座に載置されて係合凸部に嵌って取付けられた円盤状記録媒体と本体ベース面との間に形成した空間にはチャプターシート等を収容したことを特徴とする円盤状記録媒体の収納ケース。
【請求項２】
上記本体ベースには受け台座より低い押え片を空間内に設け、この押え片にチャプターシート等を挟み込んで収容した請求項１記載の円盤状記録媒体の収納ケース。
【発明の詳細な説明】
【０００１】
【発明の属する技術分野】
本発明はＣＤやＤＶＤ等の円盤状記録媒体を収納すると共に、歌詞等のシートも収容できる円盤状記録媒体の収納ケースに関するものである。
【０００２】
【従来の技術】
図６は従来の一般的なＣＤ等の円盤状記録媒体の収納ケースを示している。該収納ケースは本体ケース（イ）と蓋ケース（ロ）を有し、本体ケース（イ）と蓋ケース（ロ）は継手部（ハ）を介して連結され、蓋ケース（ロ）は開閉することが出来る。そして、本体ケース（イ）のベース面中央には受け台座（ニ）が設けられ、該受け台座（ニ）には係合凸部（ホ）を形成している。
【０００３】
そして、円盤状記録媒体（ヘ）の中央部は、上記受け台座（ニ）に載置されると共に、係合凸部（ホ）は中央穴に嵌って取付けられる。上記係合凸部（ホ）はその外径を僅かに収縮可能な構造となっている為に、円盤状記録媒体（ヘ）の中央穴にはガタ付くことなく嵌合することが出来る。
【０００４】
ところで、従来の円盤状記録媒体用収納ケースには、本体ケース（イ）に該円盤状記録媒体（ヘ）を収容することが可能であるが、例えば、歌を収録しているＣＤであれば歌詞が必要であり、ゲームを収録したＣＤの場合には該ゲームの概要を説明した説明書が必要となる。しかし、従来の収納ケースにはこれら歌詞や説明書を収容する所定の空間が設けられておらず、そのために後日紛失してしまう場合が多い。
【０００５】
出願人は平成１２年１１月１０日付けで特許出願した収納ケース（特開２００２−１５０４４４号）には、歌詞等のチャプターシートを収納できるように構成している。しかし、この収納ケースは別に補助ケースを設けたものであり、その為に収納ケース全体の厚さが大きくなり、また、製造コストは高くなってしまう。
【０００６】
一方、蓋ケース（ロ）のベース面に上下部に押え片を設け、この押え片にチャプターシートを挟み込んで収容するようにした円盤状記録媒体用収納ケースも知られている。この収納ケースは図７に示しているような形態である。しかし、この押え片（ト）、（ト）にチャプターシートを挟む場合、蓋ケース（ロ）を閉じるならば、本体ケース（イ）に収容している円盤状記録媒体（ヘ）の表面に重なり合って、収納ケースが透明体であっても、円盤状記録媒体（ヘ）の表題が隠れてしまう。すなわち、蓋ケース（ロ）を閉じた状態ではこの表題を確認することが出来ない。数多くの円盤状記録媒体を所持しているユーザーにとって、収納ケースの外から収納されている円盤状記録媒体（ヘ）が何であるかを知ることが出来るほうが好ましく、そのような収納ケースが望まれている。
【０００７】
一方、円盤状記録媒体（ヘ）をレンタルするレンタルショップの場合、該円盤状記録媒体（ヘ）の表面にはバーコードを貼着して多数の円盤状記録媒体（ヘ）、（ヘ）・・を管理している。従って、チャプターシートによって該バーコードが遮られるようでは、貸出しに際して蓋ケース（ロ）を開いてバーコードを読み取ることが強いられ、貸出し作業が面倒となる。
【０００８】
【発明が解決しようとする課題】
このように、従来の円盤状記録媒体用収納ケースには上記のごとき問題がある。本発明が解決しようとする課題はこの問題点であって、チャプターシートを収容した状態で収納されている円盤状記録媒体の表題を確認できると共に、表面に貼着したバーコードを、蓋ケースを開くことなく読み取ることが出来る円盤状記録媒体の収納ケースを提供する。
【０００９】
【課題を解決する為の手段】
本発明にかかる円盤状記録媒体用収納ケースは、チャプターシート等を収容して蓋ケースを閉じた状態で、収納されている円盤状記録媒体の表題が分かり、また、円盤状記録媒体の表面に貼着しているバーコードを読み取ることが出来るように構成したものである。そこで、チャプターシート等は円盤状記録媒体が収納される本体ケース側に収容し、しかも円盤状記録媒体と本体ケースのベース面との間に挟み込まれるように収容できる構造となっている。
【００１０】
本体ケースには円盤状記録媒体の中央穴に嵌る係合凸部を有し、該係合凸部は受け台座上に設けられる。そして、受け台座は本体ベース面から突出して形成され、受け台座に載置される円盤状記録媒体と本体ケースのベース面との間に隙間（空間）を形成し、この空間にチャプターシートを収容する。そして、この空間に収容されるチャプタ−シートを止着する為に、本体ベース面には押え片を設けることが出来る。以下、本発明に係る実施例を図面に基づいて詳細に説明する。
【００１１】
【実施例】
図１は本発明にかかる円盤状記録媒体用収納ケースを示す実施例である。同図の１は本体ケース、２は蓋ケース、３は継手部を示し、蓋ケース２は開閉することが出来る。そして、本体ケース１のベース面４には受け台座５が突出して設けられ、受け台座上には係合凸部６を有している。そこで、円盤状記録媒体は受け台座５に中央部が載置され、中央穴には係合凸部６が嵌って取付けられる。
【００１２】
本体ケース１のベース面４には２個の押え片７，７が所定の距離を置いて設けられ、この押え片７，７にチャプターシートを挟みこむことが出来る。ここで、押え片７，７のベース面４からの高さは、円盤状記録媒体が載置される受け台座５より低く、すなわち、受け台座５を高くすることで載置される円盤状記録媒体とベース面４との間に適度な空間を形成することが出来る。上記押え片７，７は先端を湾曲又は屈曲してチャプターシートを挟み易い形状と成っているが、具体的な形態は限定しないことにする。また、上記受け台座５及び受け台座上に設けている係合凸部６の形状も自由であり、本発明は何ら限定しない。
【００１３】
図２は上記押え片７，７にチャプターシート８を挟み込んだ場合を示している。このように所定の大きさに折畳まれたチャプターシート８は、ベース面４と押え片７，７とで挟み込まれ、ベース面４の周辺に起立している縁９，９・・に当って、本体ケース１から外れることはない。
【００１４】
図３はチャプターシート８を押え片７，７に挟み込んだ状態で、円盤状記録媒体１０を取付けた場合を示している。円盤状記録媒体１０は、本体ケース１の受け台座５に載置され、受け台座上に設けている係合凸部６に中央穴が嵌って取付けられるが、チャプターシート８は該円盤状記録媒体１０の下側に収容されている。その為に、円盤状記録媒体１０の表題（ＪＵＳＴ）は表面化し、また円盤状記録媒体１０の表面に貼着しているバーコード１１も表面化している。
【００１５】
図４及び図５は蓋ケース２を閉じた場合の、縦方向断面と横方向断面をそれぞれ表わしている。同図から明らかなように、円盤状記録媒体１０と本体ケース１のベース面４との間には空間１２が形成され、この空間内には押え片７，７を設けている。したがって、該押え片７，７は円盤状記録媒体１０には接することがない。そして、押え片７，７に挟み込まれたチャプターシート８は、該空間内に収容されている。ここで、空間１２に収容されたチャプターシート８は、押え片７，７がなくても該空間１２から外れて収納ケースから離脱することはない。
【００１６】
以上述べたように、本発明の収納ケースは、本体ケースのベース面には受け台座を突出して設けると共に、受け台座には係合凸部を形成し、そしてベース面には受け台座より低い押え片を設けたもので、次のような効果を得ることが出来る。
【００１７】
【発明の効果】
本発明の収納ケースは、本体ケースとベース面に受け台座より低い押え片を設け、この押え片にチャプターシートを挟み込んで収容することが出来る。したがって、受け台座に載置されて係合凸部が中央穴に嵌ることで取付けられる円盤状記録媒体の下側にチャプターシートが収容されるために、蓋ケースを閉じた場合でも、円盤状記録媒体の表題が外から確認することが可能である。また、円盤状記録媒体の表面に貼着したバーコードを、蓋ケースを介して読み取ることが出来る為に、貸出し作業においても便利である。
【図面の簡単な説明】
【図１】本発明に係る収納ケースの実施例。
【図２】収納ケースの本体ケースにチャプターシートを収容した場合。
【図３】本体ケースにチャプターシートを収容すると共に、円盤状記録媒体を取付けた場合。
【図４】チャプターシートと円盤状記録媒体を収容した縦方向断面図。
【図５】チャプターシートと円盤状記録媒体を収容した横方向断面図。
【図６】従来の収納ケース。
【図７】蓋ケースに押え片を設けた従来の収納ケース。
【符号の説明】
１  本体ケース
２  蓋ケース
３  継手部
４  ベース面
５  受け台座
６  係合凸部
７  押え片
８  チャプターシート
９  縁
１０  円盤状記録媒体
１１  バーコード
１２  空間
【図１】
2005001716.tif 000003
【図２】
2005001716.tif 000004
【図３】
2005001716.tif 000005
【図４】
2005001716.tif 000006
【図５】
2005001716.tif 000007
【図６】
2005001716.tif 000008
【図７】
2005001716.tif 000009